(57)【要約】【課題】ユーザの生活習慣にあわせて動作モードの切替えを行う。【解決手段】携帯電話機１は、複数の動作モードを有する携帯電話機であって、通信が行われた時刻、およびユーザの操作による動作が行われた時刻を含むアクティブ時刻を所定の時間単位で累積して記録する時刻記録部１０と、当該累積記録の結果、アクティブ時刻が所定の頻度以下で記録された時間間隔を非アクティブ時間と判断する判断部３０と、非アクティブ時間に、携帯電話機１を複数の動作モードのうちの何れかに設定するモード設定部４０と、を備える。【選択図】図１
2009182443.tif 000002
【特許請求の範囲】
【請求項１】
複数の動作モードを有する通信端末であって、
通信が行われた時刻、およびユーザの操作による動作が行われた時刻を含むアクティブ時刻を所定の時間単位で累積して記録する時刻記録手段と、
当該累積記録の結果、前記アクティブ時刻が所定の頻度以下で記録された時間間隔を非アクティブ時間と判断する判断手段と、
前記非アクティブ時間に、当該通信端末を前記複数の動作モードのうちの何れかに設定するモード設定手段と、
を備えることを特徴とする通信端末。
【請求項２】
前記モード設定手段は、前記非アクティブ時間に、当該通信端末を低電力モードに設定することを特徴とする請求項１に記載の通信端末。
【請求項３】
前記モード設定手段は、前記非アクティブ時間に、当該通信端末をマナーモードに設定することを特徴とする請求項１に記載の通信端末。
【請求項４】
前記モード設定手段は、前記非アクティブ時間に、当該通信端末を、当該通信端末に備えられたメモリのメンテナンスを行うモードに設定することを特徴とする請求項１に記載の通信端末。
【請求項５】
前記モード設定手段は、前記非アクティブ時間に、当該通信端末を、外部の装置からコンテンツをダウンロードするモードに設定することを特徴とする請求項１に記載の通信端末。
【請求項６】
前記時刻記録手段は、前記時間単位を一日間として、前記アクティブ時刻を累積記録することを特徴とする請求項１〜５の何れか１項に記載の通信端末。
【請求項７】
前記時刻記録手段は、前記時間単位を一週間として、前記アクティブ時刻を累積記録することを特徴とする請求項１〜５の何れか１項に記載の通信端末。
【請求項８】
前記判断手段は、任意の前記アクティブ時刻からの時間差が所定の第１の時間以内である時間間隔をアクティブ時間と判断し、且つ前記時間単位内において前記アクティブ時間以外の時間を前記非アクティブ時間と判断することを特徴とする請求項１〜７の何れか１項に記載の通信端末。
【請求項９】
前記判断手段は、前記第１の時間より短い時間である所定の第２の時間が任意のアクティブ時刻から経過する前における各時刻については、前記アクティブ時間であるか否かに関する当該判断を行わないことを特徴とする請求項８に記載の通信端末。
【請求項１０】
前記判断手段は、前記第１の時間が任意のアクティブ時刻から経過する前における各時刻については、前記アクティブ時間であるか否かに関する当該判断を行わないことを特徴とする請求項８に記載の通信端末。
【請求項１１】
前記時間単位を複数の時間領域に分割する分割手段を更に備え、
前記判断手段は、任意の当該分割された時間領域内で、前記アクティブ時刻が所定の回数以下で記録された場合に、該時間領域を前記非アクティブ時間と判断することを特徴とする請求項１〜７の何れか１項に記載の通信端末。
【請求項１２】
複数の動作モードを有する通信端末における動作モード管理プログラムであって、
通信が行われた時刻、およびユーザの操作による動作が行われた時刻を含むアクティブ時刻を所定の時間単位で累積して記録する時刻記録機能と、
当該累積記録の結果、前記アクティブ時刻が所定の頻度以下で記録された時間間隔を非アクティブ時間と判断する判断機能と、
前記非アクティブ時間に、当該通信端末を前記複数の動作モードのうちの何れかに設定するモード設定機能と、
を当該通信端末に実現させる動作モード管理プログラム。
【請求項１３】
複数の動作モードを有する通信端末における動作モード管理方法であって、
当該通信端末の時刻記録手段が、通信が行われた時刻、およびユーザの操作による動作が行われた時刻を含むアクティブ時刻を所定の時間単位で累積して記録する時刻記録ステップと、
当該累積記録の結果、当該通信端末の判断手段が、前記アクティブ時刻が所定の頻度以下で記録された時間間隔を非アクティブ時間と判断する判断ステップと、
当該通信端末のモード設定手段が、前記非アクティブ時間に、当該通信端末を前記複数の動作モードのうちの何れかに設定するモード設定ステップと、
を備えることを特徴とする動作モード管理方法。
【発明の詳細な説明】
【技術分野】
【０００１】
本発明は、通信端末、動作モード管理プログラム、および動作モード管理方法に関するものである。
【背景技術】
【０００２】
従来、通信端末における動作モードを時間に応じて変えることが行われている。例えば、特許文献１は、情報を送受信する期間に応じて、通信端末の動作モードをアクティブモードや省電力モードに切替える装置について開示している。
【特許文献１】特開２００４−１０４４６５号公報
【発明の開示】
【発明が解決しようとする課題】
【０００３】
上記の特許文献１では、既述のとおり、情報を送受信する期間に応じて動作モードを切替えることについて開示されているが、動作モードの切替えのタイミングを一意的に決めずに各ユーザの生活習慣を反映させて定めることに対する要求があった。
【０００４】
そこで、本発明は上記に鑑みてなされたもので、ユーザの生活習慣にあわせて動作モードの切替えを行うことが可能な通信端末、動作モード管理プログラム、および動作モード管理方法を提供することを目的とする。
【課題を解決するための手段】
【０００５】
上記課題を解決するために、本発明の通信端末は、複数の動作モードを有する通信端末であって、通信が行われた時刻、およびユーザの操作による動作が行われた時刻を含むアクティブ時刻を所定の時間単位で累積して記録する時刻記録手段と、当該累積記録の結果、前記アクティブ時刻が所定の頻度以下で記録された時間間隔を非アクティブ時間と判断する判断手段と、前記非アクティブ時間に、当該通信端末を前記複数の動作モードのうちの何れかに設定するモード設定手段と、を備える。
【０００６】
また、本発明の動作モード管理プログラムは、複数の動作モードを有する通信端末における動作モード管理プログラムであって、通信が行われた時刻、およびユーザの操作による動作が行われた時刻を含むアクティブ時刻を所定の時間単位で累積して記録する時刻記録機能と、当該累積記録の結果、前記アクティブ時刻が所定の頻度以下で記録された時間間隔を非アクティブ時間と判断する判断機能と、前記非アクティブ時間に、当該通信端末を前記複数の動作モードのうちの何れかに設定するモード設定機能と、を当該通信端末に実現させる。
【０００７】
また、本発明の動作モード管理方法は、複数の動作モードを有する通信端末における動作モード管理方法であって、当該通信端末の時刻記録手段が、通信が行われた時刻、およびユーザの操作による動作が行われた時刻を含むアクティブ時刻を所定の時間単位で累積して記録する時刻記録ステップと、当該累積記録の結果、当該通信端末の判断手段が、前記アクティブ時刻が所定の頻度以下で記録された時間間隔を非アクティブ時間と判断する判断ステップと、当該通信端末のモード設定手段が、前記非アクティブ時間に、当該通信端末を前記複数の動作モードのうちの何れかに設定するモード設定ステップと、を備える。
【０００８】
このような本発明の通信端末、動作モード管理プログラム、および動作モード管理方法によれば、アクティブ時刻を所定の時間単位で累積して記録した結果に基づいて、非アクティブ時間を統計的に判断する。このアクティブ時刻は、通信が行われた時刻またはユーザの操作による動作が行われた時刻等であって、ユーザの生活習慣が反映されて通信端末が動作された時刻である。このため、このアクティブ時刻を判断の基準とすれば、ユーザの生活習慣上で通信端末があまり動作されない時間帯を非アクティブ時間と判断することができる。したがって、非アクティブ時間と判断された時間帯に通信端末の動作モードを切替えることにより、ユーザの生活習慣にあわせて動作モードの切替えを行うことが可能となる。
【０００９】
また、本発明において、前記モード設定手段は、前記非アクティブ時間に、当該通信端末を低電力モードに設定してもよい。
【００１０】
この発明によれば、非アクティブ時間と判断された時間帯では通信端末を低電力モードに設定することにより、ユーザの生活習慣上で通信端末があまり動作されないと統計的に判断された時間帯に、通信端末の消費電力を低減することができる。
【００１１】
また、本発明において、前記モード設定手段は、前記非アクティブ時間に、当該通信端末をマナーモードに設定してもよい。
【００１２】
この発明によれば、例えば深夜に着信がある際に、着信記録だけは残したいけれど、いちいち起こされたくない人を対象に、非アクティブ時間と判断された例えば深夜の時間帯では通信端末をマナーモードに設定することができる。
【００１３】
また、本発明において、前記モード設定手段は、前記非アクティブ時間に、当該通信端末を、当該通信端末に備えられたメモリのメンテナンスを行うモードに設定してもよい。
【００１４】
この発明によれば、非アクティブ時間と判断された時間帯では通信端末をメモリのメンテナンスを行うモードに設定することにより、ユーザの生活習慣上で通信端末があまり動作されないと統計的に判断された時間帯に、メモリに対するデフラグ等を行うことができる。これにより、通信端末の負荷を時間的に分配することが可能となる。
【００１５】
また、本発明において、前記モード設定手段は、前記非アクティブ時間に、当該通信端末を、外部の装置からコンテンツをダウンロードするモードに設定してもよい。
【００１６】
この発明によれば、非アクティブ時間と判断された時間帯では通信端末をコンテンツをダウンロードするモードに設定することにより、ユーザの生活習慣上で通信端末があまり動作されないと統計的に判断された時間帯に、通信資源の消費が多い動作を行うことができる。これにより、通信資源を時間的に分配して消費することが可能となる。
【００１７】
また、本発明において、前記時刻記録手段は、前記時間単位を一日間として、前記アクティブ時刻を累積記録してもよい。
【００１８】
この発明によれば、時刻記録手段はユーザの一日間の生活習慣を反映させた上でアクティブ時刻を累積記録することができる。
【００１９】
また、本発明において、前記時刻記録手段は、前記時間単位を一週間として、前記アクティブ時刻を累積記録してもよい。
【００２０】
この発明によれば、時刻記録手段はユーザの一週間の生活習慣を反映させた上でアクティブ時刻を累積記録することができる。
【００２１】
また、本発明において、前記判断手段は、任意の前記アクティブ時刻からの時間差が所定の第１の時間以内である時間間隔をアクティブ時間と判断し、且つ前記時間単位内において前記アクティブ時間以外の時間を前記非アクティブ時間と判断してもよい。
【００２２】
この発明によれば、ユーザの生活習慣を反映して、非アクティブ時間およびアクティブ時間を判断することができる。非アクティブ時間およびアクティブ時間は上記のアクティブ時刻に基づいて判断されるものであり、このアクティブ時刻はユーザの生活習慣が反映されて通信端末が動作された時刻であるからである。なお、ユーザの生活習慣が反映されて通信端末が動作される例としては、例えば、ユーザによりキー操作があった場合、音声やメールの発着信があった場合、目覚ましなどユーザが設定した予約動作が実行された場合等が挙げられる。
【００２３】
また、本発明において、前記判断手段は、前記第１の時間より短い時間である所定の第２の時間が任意のアクティブ時刻から経過する前における各時刻については、前記アクティブ時間であるか否かに関する当該判断を行わないようにしてもよい。
【００２４】
この発明によれば、任意のアクティブ時刻経過後の所定の時間（第２の時間）内においてはアクティブ時間に関する上記の判断を行わないことにより、例えば一日間または一週間等の単位時間の全範囲において当該判断を行う場合に比べて、計算量を減らし、メモリおよび消費電力を節約することができる。
【００２５】
また、本発明において、前記判断手段は、前記第１の時間が任意のアクティブ時刻から経過する前における各時刻については、前記アクティブ時間であるか否かに関する当該判断を行わないようにしてもよい。
【００２６】
この発明によれば、任意のアクティブ時刻経過後の所定の時間（第１の時間）内においてはアクティブ時間に関する上記の判断を行わないことにより、例えば一日間または一週間等の単位時間の全範囲において当該判断を行う場合に比べて、計算量を減らし、メモリおよび消費電力を節約することができる。また、第１の時間が第２の時間よりも長いことから、任意のアクティブ時刻から第２の時間が経過する前にはアクティブ時間に関する判断を行わないとの上記の方法に比べて、計算量を更に減らし、メモリおよび消費電力を更に節約することができる。
【００２７】
また、本発明において、前記時間単位を複数の時間領域に分割する分割手段を更に備え、前記判断手段は、任意の当該分割された時間領域内で、前記アクティブ時刻が所定の回数以下で記録された場合に、該時間領域を前記非アクティブ時間と判断してもよい。
【００２８】
この発明によれば、時間単位を複数の時間領域に分割してから、非アクティブ時間に関する判断を行うことにより、当該判断に必要なメモリの量を減らすことができる。また、分割する時間領域の数や長さを調整することにより、当該判断に対する精度を調整することができる。
【発明の効果】
【００２９】
本発明によれば、ユーザの生活習慣にあわせて動作モードの切替えを行うことが可能な通信端末、動作モード管理プログラム、および動作モード管理方法を提供することができる。
【発明を実施するための最良の形態】
【００３０】
以下、添付図面を参照して本発明にかかる通信端末、動作モード管理プログラム、および動作モード管理方法の好適な実施形態を詳細に説明する。なお、図面の説明において同一の要素には同一の符号を付し、重複する説明を省略する。
【００３１】
（携帯電話機１の構成）
本発明の実施形態に係る携帯電話機１（通信端末）の構成について、図１および図２を参照しながら説明する。図１は携帯電話機１の機能的な構成を示す概要図であり、図２は携帯電話機１の物理的な構成を示すハードウェア構成図である。
【００３２】
まず、携帯電話機１の物理的な構成について説明する。図２に示すように、携帯電話機１は、物理的には、ＣＰＵ１１、主記憶装置であるＲＯＭ１２及びＲＡＭ１３、操作ボタンなどの入力デバイス１４、ＬＣＤや有機ＥＬディスプレイなどの出力デバイス１５、呼処理サーバ（図示せず）などの他の装置との間でデータの送受信を行う通信モジュール１６、メモリディバイス等の補助記憶装置１７を備えて構成される。携帯電話機１の各機能は、ＣＰＵ１１、ＲＯＭ１２、ＲＡＭ１３等のハードウェア上に所定のソフトウェアを読み込ませることにより、ＣＰＵ１１の制御の元で入力デバイス１４、出力デバイス１５、通信モジュール１６を動作させると共に、主記憶装置１２，１３や補助記憶装置１７におけるデータの読み出し及び書き込みを行うことで実現される。
【００３３】
次に、携帯電話機１の機能的な構成について説明する。図１に示すように、携帯電話機１は、機能的には、時刻記録部１０（時刻記録手段）、格納部２０、判断部３０（判断手段）、およびモード設定部４０（モード設定手段）を備えて構成される。
【００３４】
時刻記録部１０は、アクティブ時刻を所定の時間単位で累積して記録するものである。このアクティブ時刻は、通信が行われた時刻、ユーザの操作による動作が行われた時刻等を含む時刻であって、ユーザの生活習慣が反映されて携帯電話機１の動作が行われた時刻である。以下、ユーザの生活習慣が反映されて携帯電話機１にて行われる通信やユーザの操作による動作等を「アクション」という。このアクションの一例としては、例えば、ユーザによるキー操作、音声やメールの発着信、目覚ましなどユーザが設定した予約動作等が挙げられる。時刻記録部１０は、各アクションが行われる時刻、つまりアクティブ時刻を一日間または一週間を時間単位として累積して記録し、当該累積記録した情報を格納部２０に入力する。
【００３５】
図３は、時刻記録部１０の動作を具体的にイメージした図であり、アクションが行われアクティブ時刻が記録されたことが矢印で表されている。図３（ａ）〜図３（ｄ）は、時刻記録部１０が一日間を時間単位としてＮ日間アクティブ時刻を累積して記録した様子を示す。図３（ｅ）は、図３（ａ）〜図３（ｄ）にて累積記録したＮ日間の合計を表し、時刻記録部１０はこの合計情報を格納部２０に入力する。
【００３６】
図１に戻り、格納部２０は、アクティブ時刻を累積記録することにより得られた上記の合計情報（上記の図３（ｅ）を参照）を時刻記録部１０より入力して格納するものである。また、格納部２０は、判断部３０からの要求により、当該格納している合計情報を判断部３０に読み取らせる。
【００３７】
判断部３０は、上記の合計情報を格納部２０を参照して読み取り、当該読み取った合計情報に基づいて、非アクティブ時間およびアクティブ時間を判断するものである。判断部３０は、アクティブ時刻が所定の頻度以下で記録された時間間隔を非アクティブ時間と判断し、それ以外の時間間隔をアクティブ時間と判断する。アクティブ時刻が記録される頻度は上記のアクションが行われた頻度と比例するため、判断部３０は、アクティブ時刻が記録される頻度を判断基準とすることにより、ユーザの生活習慣を反映して統計的に非アクティブ時間およびアクティブ時間を判断することができる。判断部３０は、当該判断結果を表す情報をモード設定部４０に出力する。
【００３８】
図３（ｆ）は、判断部３０が、図３（ｅ）の合計情報に基づいて、非アクティブ時間およびアクティブ時間を判断した様子を示す。所定の頻度を例えば３回とした場合に、時間間隔Ａ、Ｂ、Ｄにおいてはアクティブ時刻が３回以下で記録されているため、判断部３０は当該時間間隔Ａ、Ｂ、Ｄを非アクティブ時間として判断する。このことにより、判断部３０は、ユーザの生活習慣上で携帯電話機１があまり動作されない時間帯を非アクティブ時間と判断することができる。また、判断部３０は、０時〜２４時の時間単位内において非アクティブ時間と判断した時間間隔以外の時間間隔、つまり時間間隔Ｃ等をアクティブ時間と判断する。以上、図３（ｆ）を参照しながら、判断部３０の動作を概念的に説明したが、判断部３０の動作に関するより詳細な事項については、後述する。
【００３９】
図１に戻り、モード設定部４０は、判断部３０の判断結果を表す情報を入力され、現時刻が非アクティブ時間になったときに、携帯電話機１の動作モードを以下に記載する複数の動作モードのうちの何れかに設定する。動作モードの設定は非アクティブ時間と判断された時間帯に行われるため、モード設定部４０はユーザの生活習慣にあわせて動作モードの設定を行うことが可能となる。
【００４０】
例えば、モード設定部４０は、現時刻が非アクティブ時間になったときに、携帯電話機１の動作モードを低電力モードに設定する。低電力モードでは、例えば自動的に電源を切るなどの動作が行われる。非アクティブ時間と判断された時間帯に携帯電話機１を低電力モードに設定することにより、ユーザの生活習慣上で携帯電話機１があまり動作されないと統計的に判断された時間帯に、携帯電話機１の消費電力を低減することができる。
【００４１】
または、モード設定部４０は、現時刻が非アクティブ時間になったときに、携帯電話機１の動作モードをマナーモードに設定する。マナーモードでは、例えば、着信音量がゼロとされたり、着信が自動的に留守番電話に転送されるため、この設定方法は、例えば深夜に着信がある際に、着信記録だけは残したいけれど、いちいち起こされたくない人向けに適しているといえる。
【００４２】
または、モード設定部４０は、現時刻が非アクティブ時間になったときに、携帯電話機１の動作モードをスリープモードに設定する。スリープモードでは、例えば、背面液晶やLEDの点灯を停止する制御や、着信動作以外の一切のアプリケーションの起動を禁止するなどの制御が行われる。なお、運用状況によっては、このスリープモードを上記のマナーモードの一種として運用することもできる。
【００４３】
または、モード設定部４０は、現時刻が非アクティブ時間になったときに、携帯電話機１の動作モードをメモリ管理モードに設定する。メモリ管理モードでは、例えば、携帯電話機１に備えられたメモリ（例えば図２の補助記憶装置１７など）に対するデフラグやガベージコレクション等のメンテナンスが行われる。これにより、携帯電話機１の負荷を時間的に分配することが可能となる。
【００４４】
または、モード設定部４０は、現時刻が非アクティブ時間になったときに、携帯電話機１の動作モードをコンテンツダウンロードモードに設定する。コンテンツダウンロードモードでは、例えば、楽曲提供サービスを実施するサーバから楽曲コンテンツをダウンロードしたり、ブログなどの更新チェックやニュースのダウンロードが行われる。これにより、通信資源を時間的に分配することが可能となる。
【００４５】
（判断部３０の非アクティブ時間判断方法）
続いて、判断部３０が非アクティブ時間およびアクティブ時間を判断する方法の詳細について、図４〜図７を参照しながら説明する。
【００４６】
（非アクティブ時間判断方法、その１）
まず、図４を参照しながら非アクティブ時間判断方法（その１）について説明する。図４に示すように、判断部３０は、所定の第１の時間Ｘ（以下、「ガードタイムＸ」という。）を予め設定しておき、任意のアクティブ時刻が記録されてからガードタイムＸが経過するまでの時間間隔をアクティブ時間と判断する。図４においては、時刻Ｔ１にボタン押下とのアクションが発生しており、判断部３０は時刻Ｔ１〜時刻Ｔ１＋Ｘの時間帯をアクティブ時間と判断している。また、時刻Ｔ２にメール受信とのアクションが発生しており、判断部３０は時刻Ｔ２〜時刻Ｔ２＋Ｘの時間帯をアクティブ時間と判断している。更に、時刻Ｔ３にボタン押下とのアクションが発生しており、判断部３０は時刻Ｔ３〜時刻Ｔ３＋Ｘの時間帯をアクティブ時間と判断している。そして、例えば時刻Ｔ１〜時刻Ｔ３＋Ｘがアクティブ時刻の記録における単位時間（例えば一日間）である場合に、つまり例えば時刻Ｔ１が０時であり且つ時刻Ｔ３＋Ｘが２４時である場合に、判断部３０は、上記の要領によりアクティブ時間と判断された時間帯以外の時間帯を非アクティブ時間と判断する。図４において、判断部３０は、時刻Ｔ２＋Ｘ〜時刻Ｔ３の時間帯を非アクティブ時間と判断している。
【００４７】
以上で説明した方法において、所定のガードタイムＸを分単位で設定した場合には、判断部３０は非アクティブ時間を分単位で判断することが可能となる。また、Ｘの値を調整することで、非アクティブ時間の判断において緩急がつけられる。つまり、例えば、Ｘの値を大きくすることで、アクション発生率が非常に低い時間帯を非アクティブ時間として判断することができる。また、以上の説明では、アクティブ時刻からガードタイムＸの経過までの時間をアクティブ時間として判断していたが、これに限らず、アクティブ時刻の前後におけるガードタイムＸまでの時間をアクティブ時間として判断するようにしてもよい。
【００４８】
（非アクティブ時間判断方法、その２）
次に、図５を参照しながら非アクティブ時間判断方法（その２）について説明する。非アクティブ時間判断方法（その２）は、上記の非アクティブ時間判断方法（その１）と基本的には同様であるが、所定の第２の時間Ｙに関して相違点を有する。すなわち、判断部３０は、上記のガードタイムＸより短い時間である所定の第２の時間Ｙ（以下、「記録ガードタイムＹ」という。）を予め設定しておき、任意のアクティブ時刻が記録されてから記録ガードタイムＹが経過する前までにおける各時刻については、アクティブ時間であるか否かに関する判断を行わない。言い換えれば、判断部３０は、アクティブ時刻が記録されてから記録ガードタイムＹが経過する前までの間に記録されたアクティブ時刻については無視する。または、任意のアクティブ時刻が記録されてから記録ガードタイムＹが経過する前までの間に発生したアクションについては、時刻記録部１０がそもそも記録しないようにしてもよい。
【００４９】
図５において、時刻Ｔ２にメール受信とのアクションが発生しているが、時刻Ｔ２は記録ガードタイムＹに入っているため、判断部３０が例えば時刻Ｔ２〜時刻Ｔ２＋Ｘの時間帯をアクティブ時間として判断することはしない。一方、時刻Ｔ３に発生したメール受信とのアクションについては、上記の非アクティブ時間判断方法（その１）と同様の要領により、アクティブ時間が判断される。また、図５にて図示はしないが、非アクティブ時間についても、上記の非アクティブ時間判断方法（その１）と同様の要領により判断される。
【００５０】
以上で説明した方法によれば、任意のアクティブ時刻から記録ガードタイムＹが経過する前においてはアクティブ時間に関する判断を行わないことにより、例えば一日間または一週間等の単位時間の全範囲においてアクティブ時間に関する判断を行う場合（例えば、上記の非アクティブ時間判断方法（その１））に比べて、計算量を減らし、メモリおよび消費電力を節約することができる。
【００５１】
（非アクティブ時間判断方法、その３）
非アクティブ時間判断方法（その３）は、上記の非アクティブ時間判断方法（その２）と基本的には同様であるが、記録ガードタイムＹの長さがガードタイムＸの長さと等しい点が相違する。
【００５２】
この方法によれば、任意のアクティブ時刻から記録ガードタイムＹが経過する前においてはアクティブ時間に関する判断を行わないことにより、上記の非アクティブ時間判断方法（その１）に比べて、計算量を減らし、メモリおよび消費電力を節約することができる。また、非アクティブ時間判断方法（その３）における記録ガードタイムＹは非アクティブ時間判断方法（その２）における記録ガードタイムＹよりも長いことから、非アクティブ時間判断方法（その２）に比べて、計算量を更に減らし、メモリおよび消費電力を更に節約することができる。
【００５３】
（非アクティブ時間判断方法、その４）
次に、図６〜図８を参照しながら非アクティブ時間判断方法（その４）について説明する。この方法における携帯電話機１は、図１を参照しながら既述した機能的な構成要素に加え、図６に示すように、分割部５０（分割手段）を更に備える。図６は、非アクティブ時間判断方法（その４）における携帯電話機１の機能的な構成を示す概要図である。
【００５４】
分割部５０は、時刻記録部１０がアクティブ時刻を累積記録する際の単位時間（例えば一日間）を複数のタイムゾーンに分割するものである。図７は、分割部５０が一日間の単位時間を一時間毎のタイムゾーン（Ｚａ〜Ｚｉ）に分割した一例をイメージしている。分割部５０は、このように分割したタイムゾーンに関する情報を時刻記録部１０に出力する。
【００５５】
図６に戻り、時刻記録部１０は、分割部５０より上記の分割に関する情報を入力され、アクティブ時刻の累積記録を当該それぞれのタイムゾーン別に行う。図７は、時刻記録部１０がタイムゾーン別にアクティブ時刻の累積記録を行ったことをイメージしており、例えば１時から２時までのタイムゾーンＺｂでは、メール着信とボタン押下の２回のアクションが記録されている。時刻記録部１０は、このようにタイムゾーン別に累積記録したアクティブ時刻に関する情報を格納部２０に出力する。
【００５６】
上記のアクティブ時刻の累積記録を行う際に、時刻記録部１０は、キー入力ガードタイムＹ１およびアプリケーション起動ガードタイムＹ２を反映させることができる。キー入力ガードタイムＹ１は、既述の記録ガードタイムＹの一種であって、一回目のキー入力をカウントしてから次回のキー入力をカウントするまでに当該カウントを保留しておく期間である。図８は、キー入力ガードタイムＹ１が例えば５秒と設定されている場合に、時刻記録部１０がアクティブ時刻の累積記録を行った様子を示す。図８に示すように、例えば管理番号３、４の記録において、たとえ７時４０分１０秒から５秒が経過する間に複数回のキー入力があったとしても、時刻記録部１０は７時４０分１０秒の最初のキー入力のみをカウントする。そして、５秒が過ぎた時点で次回のキー入力をカウントする（７時４０分１５秒）。
【００５７】
アプリケーション起動ガードタイムＹ２も、既述の記録ガードタイムＹの一種であって、アプリケーションが起動されていることをカウントするためのインターバルである。図８は、アプリケーション起動ガードタイムＹ２が例えば１０秒と設定されている場合に、時刻記録部１０がアクティブ時刻の累積記録を行った様子を示す。図８に示すように、例えば管理番号１０〜２０の記録において、１０時１５分１５秒から１０時１６分５５秒の間に音声通信が続いていた場合に、時刻記録部１０は音声電話の開始があった１０時１５分１５秒から１０秒毎にカウントを行う。なお、以上で説明したキー入力ガードタイムＹ１およびアプリケーション起動ガードタイムＹ２は、非アクティブ時間判断方法（その４）に限らず、既述した非アクティブ時間判断方法（その１）〜（その３）においても適用されることができる。
【００５８】
図６に戻り、判断部３０は、タイムゾーン別にアクティブ時刻が累積記録された回数を表す情報（以下、「回数情報」という。）を格納部２０を参照して読み取り、当該読み取った回数情報に基づいて、非アクティブ時間およびアクティブ時間を判断する。判断部３０は、アクティブ時刻が所定の回数以下で記録されたタイムゾーンを非アクティブ時間と判断し、それ以外のタイムゾーンをアクティブ時間と判断する。図７は、判断部３０が、格納部２０を参照して読み取った回数情報に基づいて、非アクティブ時間およびアクティブ時間を判断した様子を示す。所定の頻度を例えば０回とした場合に、タイムゾーンＺｃ、Ｚｄ、Ｚｅ、Ｚｇ等ではアクティブ時刻が０回以下で記録されているため、判断部３０は当該タイムゾーンを非アクティブ時間と判断する。また、判断部３０は、タイムゾーンＺａ、Ｚｂ、Ｚｇ、Ｚｇ、Ｚｈ、Ｚｉ等をアクティブ時間と判断する。判断部３０はこのように判断した結果を表す情報をモード設定部４０に出力し、モード設定部４０は当該結果情報に基づいて携帯電話機１の動作モードを切替える。
【００５９】
以上で説明した方法において、分割部５０は、１時間より短い間隔でまたは長い間隔で、タイムゾーンを分割してもよい。タイムゾーン分割の時間間隔を調節することにより、非アクティブ時間の判断における精度に緩急がつけられる。
【００６０】
また、この方法では、アクティブ時刻の累積記録のために必要なメモリがタイムゾーンの分割数を元に決められるため、少ないメモリ量でもアクティブ時刻の累積記録を行うことができる。
【００６１】
また、この方法は、特に非アクティブ時間を判断するための閾値となる回数を上記のように０回とした場合には、アクションが全く発生しない時間が生じやすい生活パタンのユーザ向けに適した方法である。
【００６２】
（携帯電話機１の動作）
続いて、携帯電話機１により行われる動作について説明する。以下に説明する各動作は、携帯電話機１内の動作モード管理プログラムにより実現される。
【００６３】
（全体動作）
まず、携帯電話機１により行われる動作の全体的な流れについて、図９を参照しながら説明する。図９は、携帯電話機１により行われる動作の全体的な流れを示すフローチャートである。
【００６４】
最初に、時刻記録部１０が、アクティブ時刻を所定の時間単位で累積記録して格納部２０に入力する（ステップＳ１、時刻記録ステップ、時刻記録機能）。
【００６５】
次に、格納部２０が、ステップＳ１にて累積記録されたアクティブ時刻を表す情報を時刻記録部１０より入力して格納する（ステップＳ２）。
【００６６】
次に、判断部３０が、累積記録されたアクティブ時刻を表す情報を格納部２０を参照して読み取り、当該読み取った情報に基づいて、非アクティブ時間およびアクティブ時間を判断する。判断部３０は、当該判断結果を表す情報をモード設定部４０に出力する（ステップＳ３、判断ステップ、判断機能）。
【００６７】
次に、モード設定部４０が、判断部３０の判断結果を表す情報を入力し、現時刻が非アクティブ時間になったときに、携帯電話機１の動作モードを低電力モード、マナーモード、スリープモード、メモリ管理モード、コンテンツダウンロードモードのうちの何れかに設定する（ステップＳ４、モード設定ステップ、モード設定機能）。
【００６８】
なお、以上の説明において、時刻記録部１０は累積記録したアクティブ時刻を表す情報を格納部２０に出力しているが、これに限らず、時刻記録部１０が当該情報を判断部３０に直接出力してもよい。
【００６９】
（非アクティブ時間判断方法（その１）における動作）
続いて、既述の非アクティブ時間判断方法（その１）における動作、特にアクティブ時間を判断するにあたっての動作について、図１０〜図１５を参照しながら説明する。図１０は、当該動作を示すフローチャートである。なお、以下の説明において、「AtnS」は任意のアクティブ時間nの開始時刻を表し、「AtnE」は任意のアクティブ時間nの終了時刻を表し、「Am」は任意のアクションmの発生時刻、つまり任意のアクションmに対して記録されたアクティブ時刻を表し、「n」はアクティブ時間に対するカウンタ（通番）を表し、「m」はアクションまたはアクティブ時刻に対するカウンタ（通番）を表す。
【００７０】
図１０のフローチャートに示すように、最初に、時刻記録部１０が、カウンタｎ、ｍを初期化し（ステップＳ１０１）、アクションに対する監視を始める（ステップＳ１０２）。ステップＳ１０２のアクション監視中に、キー入力（ステップＳ１０３）、メールや音声電話の着信（ステップＳ１０４）、目覚まし等の予約動作（ステップＳ１０５）、例えば音声電話の発信によるアプリケーションの起動（ステップＳ１０６）等が検知されたら、当該動作が行われた時刻をアクティブ時刻Amとして記録する（ステップＳ１０７）。
【００７１】
ここで、ステップＳ１０３のキー入力動作についてはキー入力ガードタイムＹ１を適用する。つまり、キー入力の検知後に、キー入力ガードタイムＹ１が動作されているか否かを確認し（ステップＳ１０８）、キー入力ガードタイムＹ１が動作されている場合には（ステップＳ１０８：Ｙ）、当該キー入力をカウントせず、処理の流れはステップＳ１０２のアクション監視に戻る。一方、キー入力ガードタイムＹ１が動作されていない場合には（ステップＳ１０８：Ｎ）、キー入力ガードタイムＹ１がスタートするように設定した上で（ステップＳ１０９）、当該キー入力が行われた時刻をアクティブ時刻Amとして記録する（ステップＳ１０７）。
【００７２】
一方、ステップＳ１０６のアプリケーション起動動作についてはアプリケーション起動ガードタイムＹ２を適用する。つまり、アプリケーション起動の検知後に、アプリケーション起動ガードタイムＹ２が動作されているか否かを確認し（ステップＳ１１０）、アプリケーション起動ガードタイムＹ２が動作されている場合には（ステップＳ１１０：Ｙ）、当該アプリケーション起動をカウントせず、処理の流れはステップＳ１０２のアクション監視に戻る。一方、アプリケーション起動ガードタイムＹ２が動作されていない場合には（ステップＳ１１０：Ｎ）、アプリケーション起動ガードタイムＹ２がスタートするように設定した上で（ステップＳ１１１）、当該アプリケーション起動が行われた時刻をアクティブ時刻Amとして記録する（ステップＳ１０７）。
【００７３】
ステップＳ１０７に次いで、判断部３０が、ガードタイムＸを適用して、時刻Gt1およびGt2を算出する。時刻Gt1は「Gt1=Am-X」として算出され、時刻Gt2は「Gt2=Am+X」として算出される。つまり、時刻Gt1およびGt2はアクティブ時刻Amより発生するアクティブ時間の開始時刻および終了時刻である（ステップＳ１１２）。
【００７４】
次に、判断部３０が、ステップＳ１１２にて算出した時刻Gt1がアクティブ時間帯における時刻であるかを確認する。この確認は、現時点まで登録されているアクティブ時間（０番目のアクティブ時間、…、（ｎ−１）番目のアクティブ時間、つまりAt0S~At0Eの時間帯、…、At(n-1）S~At(n-1)Eの時間帯）に時刻Gt1が含まれるか否かを確認することにより行われる（ステップＳ１１３）。
【００７５】
次に、ステップＳ１１３の確認により、時刻Gt1がアクティブ時間帯における時刻であると確認された場合には（ステップＳ１１３：Ｙ）、判断部３０が、時刻Gt2がアクティブ時間帯における時刻であるかを確認する。この確認は、現時点まで登録されているアクティブ時間（０番目のアクティブ時間、…、（ｎ−１）番目のアクティブ時間、つまりAt0S~At0Eの時間帯、…、At(n-1）S~At(n-1)Eの時間帯）に時刻Gt2が含まれるか否かを確認することにより行われる（ステップＳ１１４）。
【００７６】
次に、ステップＳ１１４の確認により、時刻Gt2がアクティブ時間帯における時刻であると確認された場合には（ステップＳ１１４：Ｙ）、判断部３０が、時刻Gt1、Gt2が同じアクティブ時間帯における時刻であるかを確認する（ステップＳ１１５）。
【００７７】
ステップＳ１１５の確認により、時刻Gt1、Gt2が同じアクティブ時間帯における時刻でないと確認された場合に（ステップＳ１１５：Ｎ）、判断部３０は当該ケースをケース１と判断する（ステップＳ１１６）。
【００７８】
図１１はケース１の状況を示す図である。ケース１では、図１１（ａ）に示すように、通番がＸであるアクティブ時間（AtxS~AtxE）に時刻Gt1が入っており、通番がＹであるアクティブ時間（AtyS~AtyE）に時刻Gt2が入っている。この場合に、判断部３０は、AtxEをAtyEまで延長し、且つAtySおよびAtyEを無効化する。このことにより、図１１（ｂ）に示すように、通番がＸのアクティブ時間がAtxSから無効化前のAtyEまでと長くなる。
【００７９】
図１０に戻り、ステップＳ１１５の確認により、時刻Gt1、Gt2が同じアクティブ時間帯における時刻であると確認された場合に（ステップＳ１１５：Ｙ）、判断部３０は当該ケースをケース２と判断する（ステップＳ１１７）。
【００８０】
図１２はケース２の状況を示す図である。ケース２では、図１２（ａ）に示すように、通番がＸであるアクティブ時間（AtxS~AtxE）に時刻Gt1、Gt2の両方が入っている。この場合に、判断部３０は、特に対応をせず、時刻Gt1、Gt2をそのまま無視する。このことにより、通番がＸのアクティブ時間は、図１２（ｂ）に示すように、AtxSからAtxEまでで、図１２（ａ）と変わらない。
【００８１】
図１０に戻り、ステップＳ１１４の確認により、時刻Gt2がアクティブ時間帯における時刻でないと確認された場合には（ステップＳ１１４：Ｎ）、判断部３０は当該ケースをケース３と判断する（ステップＳ１１８）。
【００８２】
図１３はケース３の状況を示す図である。ケース３では、図１３（ａ）に示すように、通番がＸであるアクティブ時間（AtxS~AtxE）に時刻Gt1が入っており、時刻Gt2は非アクティブ時間に入っている。この場合に、判断部３０は、AtxEをGt2まで延長する。このことにより、図１３（ｂ）に示すように、通番がＸのアクティブ時間がAtxSから旧Gt2までと延長される。
【００８３】
図１０に戻り、ステップＳ１１３の確認により、時刻Gt1がアクティブ時間帯における時刻でないと確認された場合には（ステップＳ１１３：Ｎ）、判断部３０が、時刻Gt2がアクティブ時間帯における時刻であるかを確認する（ステップＳ１１９）。
【００８４】
ステップＳ１１９の確認により、時刻Gt2がアクティブ時間帯における時刻であると確認された場合に（ステップＳ１１９：Ｙ）、判断部３０は当該ケースをケース４と判断する（ステップＳ１２０）。
【００８５】
図１４はケース４の状況を示す図である。ケース４では、図１４（ａ）に示すように、通番がＹであるアクティブ時間（AtyS~AtyE）に時刻Gt2が入っており、時刻Gt1は非アクティブ時間に入っている。この場合に、判断部３０は、AtySをGt1まで延長する。このことにより、図１４（ｂ）に示すように、通番がＹのアクティブ時間が旧Gt1からAtyEまでと延長される。
【００８６】
図１０に戻り、ステップＳ１１９の確認により、時刻Gt2がアクティブ時間帯における時刻でないと確認された場合に（ステップＳ１１９：Ｎ）、判断部３０は当該ケースをケース５と判断する（ステップＳ１２１）。
【００８７】
図１５はケース５の状況を示す図である。ケース５では、図１５（ａ）に示すように、時刻Gt1、Gt2の両方が非アクティブ時間に入っている。この場合に、判断部３０は、時刻Gt1を通番がＮの新しいアクティブ時間の開始時刻とし、時刻Gt2を終了時刻とする。つまり、「AtnS=Gt1」および「AtnE=Gt2」と設定する。
【００８８】
図１０に戻り、上述したステップＳ１１６〜Ｓ１２１の次に、アクションまたはアクティブ時刻に対するカウンタであるｍを１単位増加させる（ステップＳ１２２）。ただし、ステップＳ１２１の次においては、新しいアクティブ時間を設定したため、アクティブ時間に対するカウンタであるｎを１単位増加させた上で（ステップＳ１２３）、ステップＳ１２２を行う。
【００８９】
次に、アクティブ時刻の累積記録を終了するか否かを確認し、終了しない場合には（ステップＳ１２４：Ｎ）、処理の流れがステップＳ１０２のアクション監視に戻る。一方、アクティブ時刻の累積記録を終了する場合には（ステップＳ１２５：Ｙ）、全処理を終了させる。
【００９０】
（非アクティブ時間判断方法（その４）における動作）
続いて、既述の非アクティブ時間判断方法（その４）における動作、特にアクティブ時間を判断するにあたっての動作について、図１６を参照しながら説明する。図１６は、当該動作を示すフローチャートである。
【００９１】
最初に、時刻記録部１０が、分割部５０が分割した全てのタイムゾーンを初期化する（ステップＳ２０１）。次に、アクティブ時間であるか否かの判断における判断対象となる一つのタイムゾーンＺａが選択される（ステップＳ２０２）。次に、ステップＳ２０２にて選択されたタイムゾーンＺａが既にアクティブ時間であるか否かが確認される（ステップＳ２０３）。
【００９２】
ステップＳ２０３の確認で、タイムゾーンＺａがアクティブ時間でないと確認された場合には（ステップＳ２０３：Ｎ）、時刻記録部１０がアクションに対する監視を始める（ステップＳ２０４）。一方、ステップＳ２０３の確認で、タイムゾーンＺａが既にアクティブ時間であると確認された場合には、次のタイムゾーンが選択されるまでにステップＳ２０４の監視が休止されるとともに（ステップＳ２０５）、処理の流れはステップＳ２０２に戻る。
【００９３】
ステップＳ２０４のアクション監視中に、キー入力（ステップＳ２０６）、メールや音声電話の着信（ステップＳ２０７）、目覚まし等の予約動作（ステップＳ２０８）、例えば音声電話の発信によるアプリケーションの起動（ステップＳ２０９）等が検知されたら、現在選択されているタイムゾーンＺａをアクティブ時間と判断する（ステップＳ２１０）。
【００９４】
次に、ステップＳ２０４のアクション監視を終了するか否かを確認し、終了しない場合には（ステップＳ２１１：Ｎ）、処理の流れがステップＳ２０２のタイムゾーン選択に戻る。一方、アクション監視を終了する場合には（ステップＳ２１１：Ｙ）、全処理を終了させる。
【００９５】
（非アクティブ時間に対する優先度付け方法）
続いて、判断部３０により非アクティブ時間と判断された時間帯に対して優先度を付けるための方法について説明する。
【００９６】
（優先度付け方法、その１）
まず、非アクティブ時間に優先度を付ける方法（その１）について、図１７を参照しながら説明する。この方法は、既述の非アクティブ時間判断方法（その１）〜（その３）によって非アクティブ時間が判断された場合に適している。
【００９７】
最初に、非アクティブ除外設定時間があるか否かが確認される。この非アクティブ除外設定時間は、例えば昼間の時間帯など、ユーザの生活習慣上で携帯電話機１を活発に使用すると予想される時間であって、非アクティブ除外設定時間中では、非アクティブ時間であるか否かに関する判断は行われない。また、この非アクティブ除外設定時間は、ユーザ毎に事前に設定することができ、例えば、深夜に携帯電話機１を活発に使用するユーザについては、深夜の時間帯を非アクティブ除外設定時間として設定することができる（ステップＳ３０１）。
【００９８】
ステップＳ３０１の確認にて、非アクティブ除外設定時間があると確認された場合には（ステップＳ３０１：Ｙ）、当該非アクティブ除外設定時間を以後の計算から除外する（ステップＳ３０２）。一方、ステップＳ３０１の確認にて、非アクティブ除外設定時間がないと確認された場合には（ステップＳ３０１：Ｎ）、処理の流れはステップＳ３０３に移行する。
【００９９】
次に、判断部３０により非アクティブ時間と判断された時間帯がＮ個以上あるか否かが判断される（ステップＳ３０３）。ステップＳ３０３の判断にて、非アクティブ時間と判断された時間帯がＮ個以上あると判断された場合には（ステップＳ３０３：Ｙ）、非アクティブ時間の長さが長い順に優先度をつける（ステップＳ３０４）。一方、ステップＳ３０３の判断にて、非アクティブ時間と判断された時間帯がＮ個以上存在しないと判断された場合には（ステップＳ３０３：Ｎ）、ガードタイムＸを所定割合（例えば１０％）短くしてから、既述の非アクティブ時間判断方法（その１）〜（その３）に基づいて非アクティブ時間を判断しなおす（ステップＳ３０５）。
【０１００】
（優先度付け方法、その２）
続いて、非アクティブ時間に優先度を付ける方法（その２）について、図１８を参照しながら説明する。この方法は、既述の非アクティブ時間判断方法（その４）によって非アクティブ時間が判断された場合に適している。
【０１０１】
最初に、上述したステップＳ３０１およびステップＳ３０２が行われる。
【０１０２】
次に、タイムゾーンが設定される。タイムゾーンは例えば一日を１５分ごとに分割することにより得られるものであって、分割の間隔は変更可能である（ステップＳ４０１）。次に、ステップＳ４０１にて分割した各タイムゾーンごとのアクション数をカウントする（ステップＳ４０２）。次に、ステップＳ４０１にてカウントしたアクション数が少ないタイムゾーンに非アクティブ時間としての高い優先度をつける。なお、アクション数が同じである場合には、前後のタイムゾーンのアクション数を足した数が少ないタイムゾーンに非アクティブ時間としての高い優先度をつける（ステップＳ４０３）。
【０１０３】
続いて、本実施形態にかかる携帯電話機１の作用及び効果について説明する。本実施形態の携帯電話機１によれば、アクティブ時刻を所定の時間単位で累積して記録した結果に基づいて、非アクティブ時間を統計的に判断する。このアクティブ時刻は、通信が行われた時刻またはユーザの操作による動作が行われた時刻等であって、ユーザの生活習慣が反映されて携帯電話機１が動作された時刻である。このため、このアクティブ時刻を判断の基準とすれば、ユーザの生活習慣上で携帯電話機１があまり動作されない時間帯を非アクティブ時間と判断することができる。したがって、非アクティブ時間と判断された時間帯に携帯電話機１の動作モードを切替えることにより、ユーザの生活習慣にあわせて動作モードの切替えを行うことが可能となる。
【０１０４】
また、本実施形態によれば、アクティブ時刻が累積記録された頻度を元にすれば、当該時間間隔での混雑度をも判断することができる。例えば、既述の図３においては、アクティブ時刻が累積記録された頻度が多い時間領域Ｃ１、Ｃ２を混雑な時間帯として判断することができる。この場合に、判断部３０が混雑度を判断してもよく、または混雑度判断のための手段を別途設けてもよい。また、判断部３０等は、上記の頻度のみならず、通信のためにかかった時間の長さ、またはユーザ操作による動作のためにかかった時間の長さを混雑度判断の基準として更に用いてもよい。上記の時間の長さを判断基準として更に用いることは、上記の非アクティブ時間の判断時にも適用することができ、例えば、通信のためにかかった時間の長さ、またはユーザ操作による動作のためにかかった時間の長さに比例する重みをアクティブ時刻が記録された回数に加えた上で、当該重み付きの回数に基づいて、非アクティブ時間および混雑度を判断することができる。
【０１０５】
また、本実施形態によれば、非アクティブ除外設定時間を設定することにより、ユーザの生活習慣にあわせた動作モードの切替えをより適切に行うことができる。例えば、深夜に携帯電話機１を活発に使用するユーザが当該深夜の時間帯を非アクティブ除外設定時間と設定することにより、深夜の時間帯が一意的に非アクティブ時間として判断されることを防止することができる。
【０１０６】
以上、本発明の好適な実施形態について説明したが、本発明は上記実施形態に限定されないことは言うまでもない。
【０１０７】
例えば、上記実施形態においては、特に図３では２４時間の一日間を時間単位としているが、これに限られることなく、２４時間を越える時間を時間単位としてもよく、例えば一週間を時間単位としてもよい。一週間を時間単位とすることで、平日と土日で非アクティブ時間が異なる場合でも対応可能である。
【図面の簡単な説明】
【０１０８】
【図１】携帯電話機１の機能的な構成を示す概要図である。
【図２】携帯電話機１の物理的な構成を示すハードウェア構成図である。
【図３】時刻記録部１０および判断部３０の動作を具体的にイメージした図である。
【図４】非アクティブ時間判断方法（その１）を説明するための図である。
【図５】非アクティブ時間判断方法（その２）を説明するための図である。
【図６】非アクティブ時間判断方法（その４）における携帯電話機１の機能構成図である。
【図７】非アクティブ時間判断方法（その４）を説明するための図である。
【図８】時刻記録部１０がアクティブ時刻の累積記録を行った様子を示す。である。
【図９】携帯電話機１により行われる動作の全体的な流れを示すフローチャートである。
【図１０】非アクティブ時間判断方法（その１）において携帯電話機１により行われる動作を示すフローチャートである。
【図１１】図１０におけるケース１の状況を示す図である。
【図１２】図１０におけるケース２の状況を示す図である。
【図１３】図１０におけるケース３の状況を示す図である。
【図１４】図１０におけるケース４の状況を示す図である。
【図１５】図１０におけるケース５の状況を示す図である。
【図１６】非アクティブ時間判断方法（その４）において携帯電話機１により行われる動作を示すフローチャートである。
【図１７】優先度付け方法（その１）において携帯電話機１により行われる動作を示すフローチャートである。
【図１８】優先度付け方法（その２）において携帯電話機１により行われる動作を示すフローチャートである。
【符号の説明】
【０１０９】
１…携帯電話機、１０…時刻記録部、２０…格納部、３０…判断部、４０…モード設定部、５０…分割部。
【図１】
2009182443.tif 000003
【図２】
2009182443.tif 000004
【図３】
2009182443.tif 000005
【図４】
2009182443.tif 000006
【図５】
2009182443.tif 000007
【図６】
2009182443.tif 000008
【図７】
2009182443.tif 000009
【図８】
2009182443.tif 000010
【図９】
2009182443.tif 000011
【図１０】
2009182443.tif 000012
【図１１】
2009182443.tif 000013
【図１２】
2009182443.tif 000014
【図１３】
2009182443.tif 000015
【図１４】
2009182443.tif 000016
【図１５】
2009182443.tif 000017
【図１６】
2009182443.tif 000018
【図１７】
2009182443.tif 000019
【図１８】
2009182443.tif 000020